Podtech/llm-jp-corpus-v4-ja_patent huggingface dataset:
(57)【要約】【課題】この発明は、箸を連結する事により、箸の先端部分の開口幅の広がりを抑制し、ダイエット効果を期待できる箸に関するものである。【解決手段】一対の箸（１）のそれぞれ箸の中心より任意の先端部分に回転物（２）を付けて、その一対の回転物（２）を、酸化しにくく耐水性に優れ、通常使用に耐えうる素材で、なおかつ箸と箸の開口幅を容易に狭められる紐状のもの（３）で繋ぐ。【選択図】  図１
2004305673.tif 000002
【特許請求の範囲】
【請求項１】
（イ）  一対の箸（１）のそれぞれ箸の中心より任意の先端部分に、回転物（２）を付ける。
（ロ）  一対の回転物（２）を、酸化しにくく耐水性に優れ、通常使用に耐えうる素材で、なおかつ箸と箸の開口幅を容易に狭められる紐状のもの（３）で繋ぐ。
【発明の詳細な説明】
【０００１】
【発明の属する技術分野】
この発明は、箸を連結する事により、箸の先端部分の開口幅の広がりを抑制する作用を有する箸に関するものである。
【０００２】
【従来の技術】
従来も箸を連結する形の物は存在するが、その目的は箸を使うときのサポートや使い方を矯正するものであり、よってそれら従来品は、箸の開閉運動を一定の形に導く為のものであった。また、ダイエット目的で箸の運動作用効果を抑制する物は皆無であった。
【０００３】
【発明が解決しようとする課題】
箸を連結はしても固定式では無いため、使用者個々の癖、又は扱い方の違いにも対応し、よって普段の使用感はそのままに、先端部の広がりだけを抑制するものである。
【０００４】
【課題を解決するための手段】
いま、その構成を説明すると、
（イ）  一対の箸（１）のそれぞれ箸の中心より任意の先端部分に、回転物（２）を付ける。
（ロ）  一対の回転物（２）を、酸化しにくく耐水性に優れ、通常使用に耐えうる素材で、なおかつ箸と箸の開口幅を容易に狭められる紐状のもの（３）で繋ぐ。
以上のように形成する。
【０００５】
【発明の実施の形態】
次に本発明の実施の形態を図１から図４を参照しながら説明すると、通常箸を使用する分に於いて、箸の開口動作に箸本体からの制限はなく、よって大きく開口幅をとることも可能であった（図２）。そこで本発明の箸（図１）を使用する事により、ある開口幅を超えると紐状のもの（３）が箸を引っ張り開口幅を抑制する（図３）。しかし、紐状のもの（３）がついていても、その紐状のもの自体の柔軟性に加え、回転物（２）により、食べ物を掴む際の箸先を閉じるような開口幅を狭める動作も通常の使用感を維持しつつ、容易に可能である（図４）。
【０００６】
【発明の効果】
通常の使用感は変わらず、ある開口幅を超えると抑制作用が働くため、口へ運ぶ一回分の食べ物の量を自然に調節し、それにより咀嚼回数も増え、さらに総体的な食事の量を減らせる事でダイエット効果が期待できる。
【図面の簡単な説明】
【図１】本発明の斜視図
【図２】通常の箸による開口動作状況
【図３】本発明箸使用時の開口幅抑制作用状況
【図４】本発明箸使用時の開口幅抑制内での使用状況
【符号の説明】
１は箸
２は回転物
３は箸と箸を連結する紐状のもの
【図１】
2004305673.tif 000003
【図２】
2004305673.tif 000004
【図３】
2004305673.tif 000005
【図４】
2004305673.tif 000006
(57)【要約】【課題】口腔内をより簡単、効果的に視診したり清拭するためには、照明の機能をもち、片手でも操作でき、光量が減衰せず、奥歯や咽頭部も照明できる舌圧子を開発する必要がある。形態や操作が単純にできれば、安価に製作できる。【解決手段】そこで、舌圧子本体に孔を設け、市販のペンライトなどの照明具を挿脱できるようにすれば、舌圧子、照明という２つの機能をもつことができる。形態も単純で、製作費が安価ですむ。衛生管理も簡単である。片手で操作できるので、もう一方の手で口腔清拭ができる。【選択図】図１
2004305680.tif 000002
【特許請求の範囲】
【請求項１】
照明機能を持つ舌圧子において、本体の長手方向に孔を設けたことを特徴とする舌圧子
【請求項２】
本体に設けた孔を本体前部で閉じ、本体を光透過性にしたことを特徴とする特許請求の範囲第１項記載の舌圧子
【発明の詳細な説明】
【０００１】
【発明の属する技術分野】本発明は、口腔内の舌、歯牙、咽頭などを視診する際、あるいはそれらを清拭する際、口腔内を照明しつつ、舌などを押さえる舌圧子に関するものである。
【０００２】
【従来の技術】口腔内は暗い。そのため、口腔内の疾患や歯科的視診の際には、口腔内を照明する必要がある。従来は反射鏡を頭部に装着し，光をそこに集めて反射させ口腔内を照明したりしていた。
一方、咽頭部や奥舌部を見るためには、薄いへら状の舌圧子で，舌を下方に押し下げる必要がある。歯や歯茎の外側を視診する際にも、舌圧子で頬を内側から外側へ圧したり、口唇をめくりあげたりする必要もある。これらの際にも照明が必要であるが、照明と舌圧子は従来、それぞれ別個の物であった。そこで、照明機能をもった舌圧子が考案されている（例えば、実公昭６２−２８９６３号や実公平６−６８７１９号）。
しかしながら、これらの舌圧子は、電源および光源を具備するホルダーに、舌圧子を挿脱する構成になっている。そのため、ホルダーと舌圧子のそれぞれに製作費がかかり、形態も複雑である。さらに舌圧子先端部とホルダー内の光源との間が構造的に離れざるをえず、光量が舌圧子の先端部に到達するまでに減衰するなどの問題がある。
【０００３】
【発明が解決しようとする課題】口腔内を視診する際や清拭する際には、照明機能をもち、光量が減衰せず、奥歯や咽頭部も照明できる舌圧子を開発する必要がある。形態や操作が単純にできれば、片手でも操作可能となり、もう一方の手で清拭ができる。また、安価に製作でき、使用後の衛生管理も楽で、介護者でも使用でき便利である。
【０００４】
【課題を解決するための手段】そこで、舌圧子本体に市販のペンライトなどの照明具を挿脱できるようにすれば、ホルダーの作成は不要で、照明と舌圧子の機能をもつことが出来る。形態も単純となって、製作費が安価ですむ。機器や衛生管理も簡単なので、片手でも使える。
【０００５】
【発明の実施の形態】舌圧子の本体１はアクリルなど光透過性のある素材で作る。本体１の長さは口腔奥まで入れることができる長さとする。本体１は上面２と下面３の間の嵩高よりも、両側の側面４間の幅がより大きいものとする。本体１の幅は収斂部５付近から先端部６に向かって細幅の形状とする。側面４は半円状に外側に膨らんだ形とする。本体１には照明具７が挿脱自在な孔８を設ける。本体１の上面２は、収斂部５付近から傾斜面９を設けて下面３と接合し、孔８を閉じる。その前方に先端部６を設ける。照明具７は、電源と光源をすでに備えた、市販のペンライトなどを使う。収斂部５と側面４を除いた本体１の上面２と下面３に、凸部１０を筋状に複数直交して突設する。本体１の後端に鍔１１を設ける。
【０００６】
【他の実施例】本体１の素材は、弾性を持たせてもよい。本体１の形状は長手方向に曲成、屈成したり、段差などを設けてもよい。本体１は断面上の形が円状、四角状、台形状などでもよい。両側または片側の側面４は内側にくぼんだ形でもよい。傾斜面９は円弧状に外側に膨らむか、内側にくぼんだ形状にしても良い。孔８には、光源装置や電源装置などを分離して挿入してもよい。孔８の後端口は本体１の途中から設けてもよい。孔８は曲成、屈成したり、段状にしてもよい。孔８は本体前部に開口端を設けて貫通させ、その孔から光を導いてもよい。その開口端には透過性のある蓋やレンズを設けてもよい。本体は光透過性でなくてもよい、または一部が透過性でもよい。先端部６の形は断端状、ドーム状、尖頭状、螺旋状、平面半円状、平面三角状などでもよい。傾斜面５は設けなくてもよい。凸部１０は、凹部などでもよい。これらの凸凹は、収斂部５や側面４に設けてもよい、または設けなくてもよい。
【０００７】
【使用方法】使用方法は、図１のように、照明具７を孔８に挿入する。照明具７の電源を入れる。歯間に挿入する際には、先端部６から挿入する。先端部６や収斂部５などより照明具７の光を透過させて、口内を照明する。咽頭部や奥舌部を照明するときは、本体１をさらに深く挿入し先端部６で舌を押さえる。凸部１０は噛んできた時の滑り止めとする。奥歯や歯茎の外側面などを照明する時は、頬や唇の内側に本体１を挿入し、それらを内側から外側に圧する。上下歯がない場合には、開口幅が狭くなる。その場合，舌圧子本体を９０度回転させて両側の側面４を噛ませるようにすれば、開口幅が広がる。
【０００８】
【発明の効果】従来の照明機能をもった舌圧子は、ホルダーと舌押し板に分離され、それらを連結する構成であった。本舌圧子は本体の中に、照明具を挿入するもので従来のものとは発想を異にする。その結果、本舌圧子は従来のものよりもはるかに簡単な構造で、安価にできる。孔をやや大きくすれば、多くの市販のペンライトなどが挿脱できる。しかも光源が舌圧子の先端部近くにあるため、光量の減衰はほとんどなく、照射範囲も広い。本体を回転させれば開口幅も、広げられる。形態が簡単なので、衛生管理がしやすい、家族などの介護者も使える。熱に強い素材を使うことで滅菌消毒もでき、衛生管理もしやすい一方、使い捨ても可能である。
【図面の簡単な説明】
【図１】は斜視図である。
【図２】は側面図である。
【図３】は上面図である。
【符号の説明】
１は本体。２は上面。３は下面。４は側面。５は収斂部。６は先端部。７は照明具。８は孔。９は傾斜面。１０は凸部。１１は鍔
【図１】
2004305680.tif 000003
【図２】
2004305680.tif 000004
【図３】
2004305680.tif 000005
(57)【要約】【課題】糊やテープを使用せず、切り抜き、片面印刷に対応した山折り谷折りで造型し、片面印刷でコストを押さえた。ペーパークラフトを提供する。【解決手段】パーツを切り分けず、外形のみを切り抜き、山折り、谷折りのみで、形状を作製し、形状を理解しやすいイラストが印刷してある、表面のみを見えるようにする。【選択図】図２
2004305678.tif 000002
【特許請求の範囲】
【請求項１】
紙またはそれに類する物の片面に、ペーパークラフトの展開図を印刷し、展開図を切り抜いて折った時に、糊を使用せず又、裏面を利用せずに片面のみで作る事ができる、片面印刷切り起こしペーパークラフト
【発明の詳細な説明】
【０００１】
【発明の属する技術分野】
この発明は、紙等の片面にイラスト付の展開図を印刷し、１パーツのみ、糊不要、はさみのみで完成させる事ができる。片面印刷切り起こしペーパークラフトである。
【０００２】
【従来の技術】
１）従来のペーパークラフトは、紙をパーツごとに切り抜き、糊やテープなどでパーツを接着し、紙の両面を使い作っていた。
２）山折り谷折りでの作製方法はあったが、裏面も利用していた。
【０００３】
【発明が解決しようとする課題】
従来の物にはつぎのような欠点があった。
１）糊やテープを使用する事により、手や紙がよごれる為、ある程度の技術が必用にだった。
２）パーツを切り込みに差し込む為、長期間にわたる展示では、はずれたり、ゆるみが生じる。
３）両面を使用する場合が多いので、業務用に印刷した場合、片面印刷に比べコストが高くなる。
【０００４】
【課題を解決するための手段】
パーツを切り分けず、外形のみを切り抜き、山折り、谷折りのみで、形状を作製し、形状を理解しやすいイラストが印刷してある、表面のみを見えるようにする。
【０００５】
【発明の実施の形態】
以下、本発明の実施形態について説明する。
１）紙又は類する物の片面にペーパークラフトの展開図を印刷する
２）展開図はパーツ分けをせず、１パーツのみで作図され、山折り、谷折りの線と、完成後の形状を理解しやすいイラストが印刷されている。
以上により、はさみのみでペーパークラフトを完成させる事ができる。展開例として、カレンダーやハガキ等の裏面や投棄されにくくする為に印刷物の一部分に応用する事が可能である。
【０００６】
【発明の効果】
１）本ペーパークラフトはパーツ１パーツしかないので、複雑な設計図を必用とせず、極簡単な説明文と図で、誰でも簡単に作製する事ができる。
２）糊やテープを使用しないので、手や紙が汚れる事がない。
３）片面印刷なので、あらゆる印刷物の裏面等に使用する事ができ、カレンダー等に利用すれば、捨てにくいカレンダーとして環境にも配慮した商材とする事ができる。
【図面の簡単な説明】
【図１】本発明の正面図である。
【図２】本発明の分解斜視図である。
【符号の説明】
１切り取り線
２山折り線
３谷折り線
４完成図
【図１】
2004305678.tif 000003
【図２】
2004305678.tif 000004
(57)【要約】【課題】構造が簡単で容易に制作できる、磁気と振動を利用した、構造が簡単な健康器具を提供する。【解決手段】一つ磁極を挟んで両側に間隔を置いて前記磁極と異なる磁極を配置した電磁石を収納したケース１の上に鉄粉４を収納したマット５を設けたことを特徴とする健康器具。【選択図】    図２
2004305637.tif 000002
【特許請求の範囲】
【請求項１】
一つ磁極を挟んで両側に間隔を置いて前記磁極と異なる磁極を配置した電磁石を収納したケースの上に鉄粉を収納したマットを設けたことを特徴とする健康器具。
【発明の詳細な説明】
【０００１】
【発明の属する技術分野】
本発明は、磁力と振動を併用して血行を促進させることができる健康器具に関する。
【０００２】
【従来の技術】
血液の循環をよくすることにより健康を維持あるいは促進できることから、運動、指圧、入浴等により血管の運動を行ったり、血管を開かせたすることが行われている。これらの運動、指圧、入浴に換えて、磁石を取り付けたパッドなどの磁力線を利用したもの、筋肉をマッサージして滞留した血液の循環を促すバイブレータなどを利用したものが提案されている。
【０００３】
例えば、特許文献１には、磁力による治療効果と振動による治療効果を併せ持つ磁気健康器とバイブレータを組み合わせた健康器が提案されている。この健康器は、重りと２個の磁石を一体化した加振錐体がバネで保持され、コイルに電流を正逆方向に交互に流せば、加振錐体とバネの振動系が共振し、上下振動が発生する。この健康器を粘着テープ等で身体に貼り付けて磁気と振動による治療効果を利用するものである。
【０００４】
【特許文献１】
特開平１１−２０６８３３号公報
【０００５】
【発明が解決しようとする課題】
前記公知の健康器は、コイル、バネ、重り、磁石を一体に組み立てるために部品点数が多くなり、構造が複雑となり、また加振錐体が振動して器具全体が振動するので頑丈に組み立てる必要があるので、製作に手間がかかる。
【０００６】
そこで、本発明は、構造が簡単で容易に制作できる、磁気と振動を利用した、構造が簡単な健康器具を提供するものである。
【０００７】
【課題を解決するための手段】
本発明の健康器具は、一つ磁極を挟んで両側に間隔を置いて異なる磁極を配置した電磁石を収納したケースの上に鉄粉を収納したマットを設けたことを特徴とするものである。
【０００８】
【発明の実施の形態】
図１（ａ）は本発明の健康器具の平断面図、（ｂ）  同側断面図、（ｃ）は同正断面図である。
【０００９】
図１に示す実施例において、ケース１内にはフェライト鋼などの軟質材料からなる板を積層したＥ型の鉄心２にコイル３を巻いた電磁石が複数（本実施例では２本）配置されている。電磁石は三つの磁極が形成され、中央の磁極と両端の磁極が反対の磁極となるようにコイル３が巻かれている。コイル３には商用の交流電源から商用周波数の電流を流す。
【００１０】
ケース１の上には、鉄粉４を収納したマット５を載置する。マット５は、電磁誘導加熱によって鉄粉４が発熱するので、熱に強い材質の布を使用する。鉄粉４は、身体の対象部位にマット５を接触させたときにフィットさせることができるように余裕を持って移動自在にマット内に収納する。
【００１１】
図２は本発明の健康器具の安全のための電気回路を示す図である。本発明の健康器具は、電磁誘導加熱作用により発熱する。しかし、通常の使用状態では高温になることはないが、万全を期するために温度を検出するための温度センサー６、ヒューズ７、ランプ８、ｏｎ−ｏｆｆスイッチ９、タイマー１０を設け、温度センサーにより検出した温度が設定温度を超えた場合、あるいはタイマーの設定温度又は所定時間を超えると、自動的にスイッチが開いて電流が流れないように電気回路を構成している。
【００１２】
電磁石に、商用周波数の交番電流を流すと、磁束の流れる方向が交互に変わり、マット内の鉄粉は商用周波数にしたがって正逆方向に移動し、共振を起こして振動する。
【００１３】
図３は本発明の健康器具の使用状態を示す図である。図３において、マット５には鉄粉４が移動自在に収納されているので、図３に示すように、マット５に足を載せる際に足裏の土踏まずに鉄粉４を寄せて足裏の全体にマット５をフィットさせることができ、足裏全体に振動を加えることができ、磁力を足裏まで及ぼすことができる。なお、図３では、椅子に座った状態で健康器具に足を載せているが、立った状態でマット５に載ってもよく、この場合、マット５が傾斜して設けられているので、ストレッチの運動にもなる。
【００１４】
【発明の効果】
本発明の健康器具では、電磁石と鉄粉を収納したマットで構成するため、構造が簡単で、容易に組み立てることができる。また、マットは鉄粉を収納しているため振動を与える対象部位に倣ってフィットさせることができるので、効率よく振動と磁気を与えることができる。
【図面の簡単な説明】
【図１】（ａ）は本発明の健康器具の平断面図、（ｂ）  同側断面図、（ｃ）は同正断面図である。
【図２】本発明の健康器具の安全のための電気回路を示す図である。
【図３】本発明の健康器具の使用状態を示す図である。
【符号の説明】
１：ケース
２：鉄心
３：コイル
４：鉄粉
５：マット
６：温度センサー
７：ヒューズ
８：ランプ
９：スイッチ
１０：タイマー
【図１】
2004305637.tif 000003
【図２】
2004305637.tif 000004
【図３】
2004305637.tif 000005
(57)【要約】【課題】膝関節固有感覚の測定検査要領を簡易にした。また、装置をコンパクトなものとし、全て取り外し可能な装置とした。さらに、装置製作・設置を簡易とし、安価で可能とした。【解決手段】速度制御装置本体（１）の上前方に案内溝（２）を設け、その中を三連可動滑車（３ａ，３ｂ，４，５）が走行し、接線に沿ってワイアー連結した角度計アーム（７）を一定速度で牽引し、移動又は停止して角度や動きを測定することを特徴とする。【選択図】図１
2004305660.tif 000002
【特許請求の範囲】
【請求項１】
速度制御装置本体（１）の上前方に案内溝（２）を設け、その中を三連可動滑車（３ａ，３ｂ，４，５）が走行し、接線に沿ってワイアー連結した角度計アーム（７）を一定速度で牽引し、移動又は停止して角度や動きを測定できるようにした膝関節固有感覚測定装置。
【発明の詳細な説明】
【０００１】
【発明の属する技術分野】
この発明は、膝関節固有感覚（関節位置覚や閾値のこと）の測定において屈曲運動や伸展運動を一定速度に制御して、角度や動きを測定できる膝関節固有感覚測定装置に関するものである。
関節位置覚とは、関節の伸展角や屈曲角を認知する感覚の意味である。
閾値とは、関節の極わずかな動きを認知する感覚の意味である。
【０００２】
【従来の技術】
従来、コンピューター連結式の大型膝関節固有感覚測定装置があった。
【０００３】
【発明が解決しようとする課題】
これは、次のような欠点があった。
（イ）  従来医療の分野で用いられているこれに類する装置は、その検査設定で非常に煩雑な操作手続きを必要とした。
まず、角速度の設定、また、検査角度の範囲設定、さらに、検査回数の設定、他様々な設定データを入力してから開始していた。
これらの設定を接続コンピューターに各々の被検者にあわせて設定しなければならなかった。
その作業は、時間を要し、煩雑な手続きであったが、今回発明した装置は、これらの煩雑な手続きを極めて簡易な手続きで可能とした。
（ロ）  従来これらの装置は非常に大きな装置でその設置に過大なスペースを必要とした。
今回発明した装置は、この問題を解決するために全ての装置をコンパクトにし、さらに各々を取り外し可能なものとした。
このことで、検査以外の時には、同一スペースを他の目的に利用できるようにした。
（ハ）  これらの装置はいずれも製作・設置が困難で専門メーカー以外は不可能と考えられていた。
これらの事実を解決し、装置の製作・設置を可能とし、また安価とした。
例えば、一部の大学病院や専門研究機関でのみ可能であった膝関節固有感覚の検査を、必要とするより多くの方々に検査を実施することができるようにした。
本発明は、これらの欠点を除くためになされたものである。
【０００４】
【課題を解決するための手段】
速度制御装置本体（１）の上前方に案内溝（２）を設け、その中を三連可動滑車（３ａ，３ｂ，４，５）が走行し、接線に沿って角度計アーム（７）をワイアー連結で一定速度に牽引し、移動又は停止して膝関節固有感覚を測定できる。
本発明は、以上のような構成からなる膝関節固有感覚測定装置である。
【０００５】
【発明の実施の形態】
以下、本発明の実施例について説明する。
（イ）速度制御装置本体（１）の上前方に案内溝（２）を設ける。
（ロ）案内溝（２）の中に三連可動滑車（３ａ：外滑車，３ｂ：外滑車，４：中央滑車，５：軸）を設置する。
三連可動滑車を具体的に説明すると、
軸（５）の中央に中央滑車（４）を設け、軸（５）の中央の中央滑車（４）の両側に外滑車（３ａ，３ｂ）を設ける。
（ハ）三連可動滑車（３ａ，３ｂ，４，５）が、案内溝を接線に沿ってワイアー連結した角度計アームを一定速度で牽引し、移動又は停止させ、角度や動きを測定する。
（ニ）三連可動滑車を移動させる動力はモーターなどを用いる。
本発明は以上のような構造で、これを使用するときは、椅子（８）に座位となり測定側の下腿に、三連可動滑車にワイアー連結した角度計アームを装着固定する。
三連可動滑車（３ａ，３ｂ，４，５）を走行させるために、モーター（６）を回転させて、角度計アーム（７）を上前方に引き上げ、膝関節を伸展させる。
モーター（６）の回転を反転させることで下後方に引き下げ、膝関節を屈曲させられる。
モーター（６）を停止させることで、膝角度を固定できる。
【０００６】
【発明の効果】
膝関節固有感覚の測定が簡易な手順で実施可能とする。
また、装置がコンパクトとなり、全ての装置を取り外し可能とし同一スペースを他の目的にも使用できる。
さらに、装置製作・設置を簡易とし、安価とできる。
【図面の簡単な説明】
【図１】三連可動滑車の斜視図である。
【図２】速度制御装置本体の斜視図である。
【図３】三連可動滑車＋速度制御装置本体の斜視図である。
【図４】膝関節固有感覚測定装置全体の説明図である。
【符号の説明】
１    速度制御装置本体
２    三連可動滑車用の案内溝
３ａ  三連可動滑車の外滑車
３ｂ  三連可動滑車の外滑車
４    三連可動滑車の中央滑車
５    三連可動滑車の軸
６    モーター
７    角度計アーム
８    椅子
【図１】
2004305660.tif 000003
【図２】
2004305660.tif 000004
【図３】
2004305660.tif 000005
【図４】
2004305660.tif 000006
(57)【要約】【課題】固形石鹸を最後まで使い切るネット袋を提供する。【解決手段】使い残りの固形石鹸を収納するネット袋（１）に、石鹸の出し入れを容易にするためのファスナー（２）を設け、ファスナー（２）の端部につまみ（３）を収納して、袋の破損を防ぐための保護カバー（４）を設けた事を特徴とする。【選択図】    図１
2004305654.tif 000002
【特許請求の範囲】
【請求項１】
使い残りの固形石鹸を収納するネット袋（１）に、石鹸の出し入れを容易にするためのファスナー（２）を設けた固形石鹸用ネット袋。
【発明の詳細な説明】
【０００１】
【発明の属する技術分野】
この発明は、ファスナーのついたネットの袋で固形石鹸を使い切るための、固形石鹸用ネット袋に関するものである。
【０００２】
【従来の技術】
従来、みかん等の果物や野菜の入っていたネットを利用し、固形石鹸を使い切る方法はあった。
【０００３】
【発明が解決しようとする課題】
これは次のような欠点があった。
（イ）石鹸を使い切るための専用の袋ではないため、石鹸をネットに入れた後石鹸がネットから飛び出さないようにネットの口を結ぶため、ネットを小さくは出来ない。そのため、これを洗面所や浴室に置くとかさばり汚らしかった。
（ロ）石鹸を使い切るための専用の袋ではないため、ネットの素材がゴワゴワし、手触りが悪い。
本発明は、これらの欠点を除くためなされたものである。
【０００４】
【課題を解決するための手段】
石鹸を収納するネット袋（１）に、固形石鹸（５）の出し入れを容易にするためのファスナー（２）を設け、ファスナー（２）の端部につまみ（３）を収納して、袋の破損を防ぐための保護カバー（４）を設けた。
【０００５】
【発明の実施の形態】
以下、本発明の実施例について説明する。
（イ）使い残りの固形石鹸を収納するネット袋（１）に、固形石鹸（５）の出し入れを容易にするためのファスナー（２）を設け、ファスナー（２）の端部につまみ（３）を収納して、袋の破損を防ぐための保護カバー（４）を設けた。
本発明は以上のような構造で、これを使用する時は、ファスナーのつまみ（３）を引いてファスナー（２）を開け、使い残りの固形石鹸をネット袋（１）に収納し、再びつまみ（３）を戻してファスナー（２）を閉じる。
石鹸がこの袋に入った状態でふつうの固形石鹸を使用する時と同様に、洗顔や手洗い等に使用する。
【０００６】
【発明の効果】
（イ）固形石鹸は使い終わりで小さくなると、干乾びて泡立ちが悪くなり、最後まで使い切ることは難しかったが、本品を用いて石鹸を使い切ることができ、資源の無駄使いを防げる。
（ロ）ネットに石鹸を入れると石鹸の表面に適当な水分が保てるので、石鹸は最後まで泡立ち良く使える。
（ハ）石鹸を使い切るための専用のネット袋なので、手触りも良く洗面所や浴室に置いても汚らしさが無い。
【図面の簡単な説明】
【図１】本発明の斜視図である。
【符号の説明】
１、ネット袋
２、ファスナー
３、つまみ
４、保護カバー
５、固形石鹸
【図１】
2004305654.tif 000003
(57)【要約】【目的】現在の匙、杓子の中、繰り返し使用しない使い捨てのものは、廃棄物となり、その処分に難があり、又資源を浪費する。これらのことがなく、使用後は匙、杓子を食して廃棄物を生ぜしめない製品を提案するものである。【構成】匙、杓子の原料素材に穀物類を使用することにより、匙、杓子を使用後食して、廃棄物を生じない、環境にやさしい製品ができる。【特許請求の範囲】
【請求項１】
匙、杓子の素材、原料を穀物類の粉末とするもの。
【請求項２】
匙、杓子の素材、原料を穀物類とし、その原形を残して用いるも
の。
【発明の詳細な説明】
【０００１】
【発明の属する技術分野】
この発明は、匙、杓子の素材、原料に穀物類を使用することに関する。
【０００２】
【従来の技術】
従来の匙、杓子の製造原料、素材は、金属、陶磁器、ガラス、プラスチックス、木材、紙等が用いられている。
【０００３】
【発明が解決しようとする課題】
現在使用されている匙、杓子の一部は、繰り返し使用しない使い捨てのものがある。これら製品の多くは、木やプラスチックス、紙を原料素材にしている。
これ等の課題は使用済み後の廃棄処理を予測した製品設計になっていないことと、あわせて製品の原料素材と資源保護の視点が欠落していることである。
【０００４】
繰り返し使用しない使い捨て匙としては、アイスクリームやヨーグルトなど菓子食品に用いられている。これらは、夫々は小さな量といえども、全需要は膨大で、つまり短時間の使用に長い成育期間を要する木材などの資源を消費することへの疑問が沸いている。
【０００５】
【課題を解決するための手段】
上記課題を解決するため、匙、杓子の素材に、穀物類を選び使用することにした。穀物は米、麦、とうもろこし、蕎麦、粟、大豆などである。これらは単年で再生産（収穫）できる。
【０００６】
【発明の実施の形態】
穀物類で匙、杓子を作るには、穀物を粉末にする。穀物の一種類又は多種類を混合し、水を加え、捏ねて圧延し板状にする。この板を匙や杓子の形に打ち抜き（形どり）し、焼き上げ固化させる。匙、杓子状の煎餅である。別の製法は、穀類を一種類又は多種類を蒸したり煮る等した後、捏ねて餅をつくり、圧延し板状にのばし、形どりして焼き上げる方法である。
【０００７】
穀物類で匙、杓子をつくる別の方法は、穀物の形状を残したまま利用する場合である。穀物の一種類又は多種類を混合し蒸したり煮るなどして、その澱粉の粘着力を引き出した後、圧延して板状に伸ばし形どりして焼き上げて固化させる。この場合、水飴などの粘結材を加えることがよい。この方法を用いることが出来る穀物としては、米や麦、粟などがある。
【０００８】
【作用】
穀物類で作った匙や杓子が適応できるのは、水分がほどほどの食品で、半固形物、固形物の食品である。具体的には、ゼリー菓子や水羊羹、ヨーグルト、ソフトアイスクリーム、味噌、納豆等である。
【０００９】
本発明による匙、杓子は使用済み後は食して良く、廃棄物にはならない。また廃棄するとしても、短期間に容易に生分解され、自然環境にやさしい製品である。
(57)【要約】【課題】寝たきりの人が、体のシャワー、洗髪、移動式水洗トイレなどの、使用水清水と、使用後の汚水を、一つの容器に入れ替える容器を提供する。【解決手段】容器（７）の蓋（１）に伸び縮み袋型容器（２）に底板（３）を取り付け、清水槽（４）の清水使用後の汚水を、可変容器（２）に回収貯留槽に貯水する容器である。【特許請求の範囲】
【請求項１】
容器（７）の、上蓋（１）に可変容器（伸び縮み袋）（２）に底板（３）を取り付け、容器（７）の容器内容量（４）の増減により、可変容器（２）の容器内容量が変わる容器である。
【発明の詳細な説明】
【０００１】
【発明の属する技術分野】
本発明は、歩行困難な要介護者の、体のシャワーや、洗髪、移動式水洗トイレなど、容器に器具を取り付け介護人が、寝たきりの人に、シャワーや、洗髪に利用でき、ベット近くに、上下水道設備の無い室内外場所で、簡単に、介護人が使用できる容器を実現しました。
【０００２】
【従来の技術】
現在、寝たきりの要介護者に、シャワアーや、洗髪を行なうには、シャワー用器具を利用して、水洗清水容器と、水洗後の汚水容器の、二つの容器を必要とするため、ベット周りのスペースが、広い場所が必要となり、寝たきりの人にシャワーや、洗髪をするには、介護する人の労力負担がたいへんなのが現状である。
【０００３】
【発明が解決しようとする課題】
本発明は、寝たきりの要介護者の、シャワーや、洗髪、移動水洗トイレなど、ベット周りで移動しながら使用できる容器である。一つの容器に、水洗用清水と水洗後の汚水を、同一容器に回収する貯留槽を持つ容器のため、狭い場所で使用できる容器できる。
【０００４】
【課題を解決するための手段】
上記、目的を改善するため、本発明は容器（７）に、容器蓋（１）に容量可変型、伸び縮み袋（２）を取り付け、伸び縮み袋に底板（３）を取り付け、底板を移動させ、清水槽（４）の清水を使用すること、清水が減水し、一つの容器内の可変容器（２）に使用汚水を移動さて、二つの用途に使用できる容器である。
【０００５】
【作用】
発明の、清水容器（４）の水を清水入出口（８）より、電動ポンフを使用して放出し、シャワーや、洗髪、水洗トイレなどに使用することで、清水槽（４）の水量が減量し、可変容器（２）に水洗後の汚水を、容器蓋（１）の、汚水投入口（５）に回収し、可変容器（２）に汚水を貯留する容器である。可変容器（２）に、回収した貯留槽の汚水処理は、汚水放出口（６）に、ホースを取り付け、下水道に放出処理する容器である。
【０００６】
【容器の利用実施例】
発明の容器は、多用途利用が可能であるが、特に、高齢化社会に備い、歩行傷害など、ベットに寝たきりの人の、シャワーや、洗髪、移動式水洗トイレなど、目的に合わせ利用器具を取り付け、狭い場所でも、簡単に移動使用できる。
利用時に容器に、多量の水を満たし重さが増しても、簡単に移動可能にするため容器に底板を付け、板にキャスターを取り付け、簡単に移動である。
【０００７】
【発明の効果】
発明の容器は、容器に、温水を貯水し、シャワー付き電動ポンプを取り付けることで、寝たきりの人のベットに、防水シートを敷くことで、体のシャワーや、洗髪など容易にできる。
我が国ては、高齢者が増大する社会いが到来し、在宅寝たきり介護が増大し、在宅患者が入浴を希望しても、寝たきりの人を、介護人が、入浴させようとしても、一人で浴槽に入れることは困難である。又、巡回車入浴ヘルパーに頼むと、二人以上のヘルパーが来宅して入浴させるため、介護費用が高価になり、多くの患者は、一ヵ月に二度から三度の入浴が現状である。しかし真夏は毎日でも体を拭いたり、シャワーで、汗を流してあげたいのが、介護する人の気持ちだと思います。従来の方法で、体をタオルで拭くには、容器に温水お注ぎタオルを浸し、しぼつて拭きとったタオルを、再び同じ温水を使うため不衛生である。
発明の容器は、シャワー用器具を設置することにより、介護にあたる人は一人で体を拭くことができ、体を拭いたタオルをシャワー温水で流し洗いができ、繰り回し清潔なタオルを使用することができる容器である。
【図面の簡単な説明】
【図１】本発明の二槽容器、清水満水位断面斜視図
【図２】本発明の二槽容器、汚水満水位断面斜視図
【図３】本発明の内槽容器、内槽容器斜視図（伸び縮み袋）
【図４】本発明の容器使用一例、シャワー器具設置斜視図
【符号の説明】
１  容器蓋
２  容量可変容器汚水槽（伸び縮み袋）
３  容量可変容器底板
４  清水槽
５  汚水投入口
６  汚水放出口
７  容器外装
８  清水入出口
９  シャワーユニット
１０  シャワー水、受け容器
１１  シャワー水、噴射ポンプ
１２  移動用キャスター
１３  電源供給プラグ
【図１】
2004305655.tif 000002
【図２】
2004305655.tif 000003
【図３】
2004305655.tif 000004
【図４】
2004305655.tif 000005
(57)【要約】【目的】電気カーペットを早くコスト安く製造するのが目的である。【構成】フエルト表面に接着剤と、トルク力を持った粘着剤を転写塗布加工した構成のものを使用する。【選択図】図１
2004305667.tif 000002
【特許請求の範囲】
【請求項１】
接着剤とトルク力を持った粘着接着剤を、発熱体を固定するフエルト表面に転写塗布加工し、発熱体取付け後にその上に表面生地をも共に接着可能とした、電気カーペットの製造方法。
【発明の詳細な説明】
【０００１】
【発明の属する技術分野】
本発明は電気カーペットの製造方法に関するもので、製造行程の簡易化と特に設備を必要としないものである。
【０００２】
【従来の技術】
従来より電気カーペットは手数の掛かる手貼り製造か、ロボット等による自動装置による製造であった。
【０００３】
【発明が解決しょうとする課題】
本発明が解決しょうとするものは、人手を必要とする手貼りによる製造では無く、又特に設備投資の必要な自動製造装置を使用する事をなくした、ローコスト製造方法を提供するのが課題である。
【０００４】
【課題を解決するための手段】
この課題を解決するための手段として、本発明のものは、接着剤とトルク力を持った粘着接着剤を、フエルト表面に転写塗布加工したものを使用する、ローコスト製造方式によるものである。
【０００５】
【発明の実施の形態】
特に設備投資の必要がなく、又行程が多く特に人手を必要とする事もない、粘着剤付フエルトを使用した製造方法に関するものである。
【０００６】
【実施例】
従来電気カーペットは特に人手の必要な手貼り製造、又は設備投資を必要とする自動貼り製造によって作られていた、これに対して本発明のものは、粘着剤付フエルトを使用した製造方法に関するものである。
【０００７】
従来の手貼り製造は、１．先ず配線治具に発熱体をセットし、２．治具ごとフエルト上に置き、３．ホットメルトでボーダー状に塗布し、４．仮固定して乾燥させ、５．表地にロールで接着剤を塗布し、６．発熱体配線済み品の上に接着剤を塗布した表地を合わせ、７．熱プレス又は熱ローラによる接着か、乾燥炉により乾燥させる、このように７行程が必要である。  この製造方法には設備関係・配線治具・ホットメルト、それを溶かす器具・ホース、ガンの吐出機・乾燥炉・乾燥炉付張合せ機械等が必要である。
【０００８】
これに対して自動貼りは、１．機械上にフエルトを置く、２．発熱体導入確認、３．フエルト上に切り溝、溶着で配線、４．それを乾燥、５．表地にローラで接着剤塗布、６．配線済み品と接着剤塗布の表地とを合わせ、７．熱プレス又は熱ローラ接着、乾燥炉による乾燥と、自動製造もこのように７行程が必要になる。
この製造には、熱カット、発熱体配線ロボット、発熱体導入装置等の配線機、乾燥炉付張合せ機械等の設備が必要である。
【０００９】
本発明の製造方法では、１．配線治具に発熱体をセット、２．粘着剤付フエルトにこれをセットし、３．治具の除去、４．表地仮固定、５．熱ローラによる表地接着と５行程で良く、この製造には配線治具と加熱押ローラ等の張合機械のみで良く、設備投資も最小限で、行程も減らせて早くコスト安く製造が可能である。
【００１０】
手貼りでは、作業員により配線し、ヒーターを仮固定し、表面生地に接着剤を塗布し、熱プレス又は熱ローラで接着して完成させる。
【００１１】
機械配線ロボットによる自動貼りは、作業員２名で発熱体自動供給により配線ロボットパターン通りに配線し、方法としては、フエルトを配線通り溝切りしながら埋没して行き、発熱体表面に樹脂塗布樹脂溶かし仮固定、表面生地に接着剤を塗布し熱プレス又は熱ローラで接着して完成させる。
【００１２】
これに対して本発明の粘着貼りは、表面に粘着剤とトルク力を持った接着剤を転写塗布加工したフエルト上に、治具にセットしたものを置き、粘着力で発熱体を固定、同時に表面生地を置き、固定させて熱ローラで接着して完成させる。
【００１３】
【発明の効果】
従来の方法に比べ、設備投資も少なくてすみ、早くコスト安に製品化が可能な、電気カーペットの製造方法である。
【図面の簡単な説明】
【図１】電気カーペットの完成品を示す図である。
【符号の説明】
１  電気カーペット
２  電源コード
【図１】
2004305667.tif 000003
(57)【要約】【課題】雪遊び時の靴に雪が入るのを防止する靴用裾止めベルトを提供する。【解決手段】伸縮性素材のベルトにサイズ調整のできる調整具を取り付け、ベルトの両端にクリップを取り付けることを特徴とする靴用裾止めベルトである。【選択図】    図２
2004305670.tif 000002
【特許請求の範囲】
【請求項１】
伸縮性素材によるベルト本体にベルトの長さを調整する調整具を取り付け、ベルト本体の両端にクリップを取り付けたことを特徴とする靴用裾止めベルト。
【発明の詳細な説明】
【０００１】
【発明の属する技術分野】
この発明は、雪深い場所で足が雪にうもれたとき、靴の中に雪が入るのを防止する靴用裾止めベルトに関する。
【０００２】
【従来の技術】
従来より、脚半の裾にゴムベルトがついて、靴の底にまわして使用するものはあったが、ベルトがはずれやすいうえ幼児にはひとりでは着脱しずらいという不都合があった。
【０００３】
【発明が解決しようとする課題】
子供が屋外で雪遊びをする時に、スノーウェアのズボンの裾を長靴の上にかぶせるが、遊んでいるうちにはずれて雪が長靴の中に入ってしまう。このような時のために脚半の裾にゴムベルトがついて靴底にまわして着用するものはあるがベルトがはずれやすいのと、ベルトの長さを調整できない。
本発明は、靴の中に雪が入るのを防止するベルトを提供することを目的として開発されたものである。
【０００４】
【課題を解決するための手段】
本発明は、ベルト本体に長さ調節のできる調整具を取り付け、ベルト両端にクリップを設ける手段を講じたものである。
【０００５】
【発明の実施例】
以下、本発明の実施例について説明する。
図において、１は平型伸縮性ベルトで、他にゴム製素材のものもある。２はクリップで、ベルトの端を調整具に通してクリップの貫通穴に貫通し折り曲げて調整具の裏側に通し折り曲げて縫着する。３は調整具で、二つの貫通穴が一体となり四角い形状で、調整具にベルトを通して、一方のクリップの貫通穴に貫通し折り曲げて調整具に通して縫着する。以上が本発明の実施例である。
本例の使用時は、スノーウェアのズボンの裾の外側に一方のクリップで、内側にもう一方のクリップで挟み止めする。次にベルトを靴底にまわして、調整具のベルトをずらしてサイズを合わせ装着する。この状態でベルトは靴をささえズボンの裾に係止されている。従って雪深い場所で足が埋もれたりしても、ベルトにて係止されているためズボンの裾がめくれる恐れがない。なおこのクリップは、合成樹脂製の市販のもので、ふたの部分を開くとクリップが開いて解除でき、閉じると係止できる仕組みのものである。
【０００６】
【発明の効果】
本発明は、雪深い場所で遊んだり歩行したりしても雪が靴の中に入ることがないので靴の中が濡れるのを防止することができる。また、調整具によって、サイズを合わすことができる。
従来の脚半の裾にベルトは付いているが、長さ調整ができずサズが合わないためにベルトが靴から外れやすいことがあるが、本発明によれば、既存の脚半の裾のベルト係止部のやや前方を係止するためこの問題は解消される。それによって、冬期の外遊びが楽しくできる。
【図面の簡単な説明】
【図１】本発明の斜視図
【図２】本発明の使用状態説明図
【図３】本発明の底面図
【図４】本発明の正面図
【図５】本発明の平面図
【図６】本発明の使用状態説明図
【符号の説明】
１  ベルト
２  クリップ
３  調整具
【図１】
2004305670.tif 000003
【図２】
2004305670.tif 000004
【図３】
2004305670.tif 000005
【図４】
2004305670.tif 000006
【図５】
2004305670.tif 000007
【図６】
2004305670.tif 000008
(57)【要約】【課題】薄く不安定な読物でも、きれいに立てた状態で、且つ、読物自体も傷めにくく収納できる本立てを提供する。【解決手段】マグネット（９）でスチール部分に固定された支柱板（６）と、ささえ板（７ａ）の間にバネ（３ａ）を設置し、バネ（３ａ）が戻ろうとする力を利用して読物が倒れないようにしたことを特徴とする。【選択図】  図１
2004305661.tif 000002
【特許請求の範囲】
【請求項１】
（イ）台座（８）にマグネット（９）を設け、スチール部分に固定する。
（ロ）台座（８）に支柱板（６）を立て、その支柱板（６）に接続した円筒（１）と、ささえ板（７ａ）に接続した一回り小さい円筒（２）を重ねた状態でつなげる。
（ハ）円筒の中に円錐形のコイル状のバネ（３ａ）を設ける。
（ニ）軸（５）は、つなげられた円筒の中央を通って、一方は円筒（２）と同様に、ささえ板（７ａ）に接続して、もう一方は円筒（１）と接続している支柱板（６）に開けた穴（１０）を突き抜けており、先端に、つまみ（４）を設ける。
以上の構成によりなるバネ式本立て。
【発明の詳細な説明】
【０００１】
【発明の属する技術分野】
この発明は、主に、雑誌や週刊誌等、表紙が薄い、また、書物自体薄い読物が倒れないようにする為のバネ式本立てに関するものである。
【０００２】
従来より本立ての倒れ防止には、左右から板状のもので挟むようにしたものや、本立て内に稼動式の仕切り板を施したもの等があった。
あるいは、雑誌収納にはマガジンラック等があった。
【０００３】
【発明が解決しようとする課題】
これには、次のような欠点があった。
（イ）しっかりした本ならキチンと立てて置けるが、薄い読物は固定しにくい。少しの隙間から、ぐにゃっと曲がり倒れてくる。
（ロ）表紙や、ページの角が曲がって汚くなる。
（ハ）しばらく、滑り落ちた状態で本立てに挟まっていると、薄い読物は曲った癖がついてしまう。
（ニ）一冊出す度に、仕切りを移動し面倒な場合もある。
本発明は、以上の欠点を解決するために発明されたものである。
【０００４】
【課題を解決するための手段】
台座（８）にマグネット（９）を設け、スチール部分に固定する。
台座（８）に支柱板（６）を立て、その支柱板（６）に接続した円筒（１）と、ささえ板（７ａ）に接続した一回り小さい円筒（２）を重ねた状態でつなげる。
円筒の中に、円錐形のコイル状のバネ（３ａ）を設ける。
軸（５）はつなげられた円筒の中央を通っていて、一方は円筒（２）と同様に、ささえ板（７ａ）に接続して、もう一方は円筒（１）と接続している支柱板（６）に開けた穴（１０）を突き抜けており、先端に、つまみ（４）を設ける。
円筒（１）円筒（２）の中に入っているバネ（３ａ）は、つまみ（４）を引っ張ったり離したりすることにより伸縮する。
本発明は、このバネの力を利用して読物を直立状態に保つことのできる、バネ式本立てである。
【０００５】
【発明の実施の形態】
以下、本発明の実施の形態を説明する。
（イ）台座（８）に支柱板（６）を立て、そこに円筒（１）を取り付ける。
もう１つの円筒（２）は円筒（１）よりも一回り小さいものであって、重ねた時スムースに動くものである。
（ロ）円筒（２）は、ささえ板（７ａ）に接続している。
支柱板（６）とささえ板（７ａ）は、平行になるように位置しており、又、円筒（１）と円筒（２）は、支柱板（６）とささえ板（７ａ）が平行になる箇所に取り付けられている。
さらに、軸（５）は円筒（１）円筒（２）の中心を通り、ささえ板（７ａ）に接続されている。
この軸（５）は、これを設置する台と水平になっており、支柱板（６）に開けられた穴（１０）を抜けてつまみ（４）とつながっている。
（ハ）円筒（１）円筒（２）が離れてしまわないように当然、軸（５）の長さは円筒（１）円筒（２）を足した長さより必ず短くなければならないし、つまみ（４）は、穴（１０）より大きいものである。
（ニ）円筒（１）円筒（２）の中にバネ（３ａ）を設置し、図２、図３のように、つまみ（４）をひくと、円筒（２）と接続されているささえ板（７ａ）が一緒に引き寄せられ、つまみ（４）を離すとバネ（３ａ）の力で元の位置に押しやられる。
（ホ）台座（８）にはマグネット（９）がついていて、スチール部分に固定する。
本発明は以上のような構造で、これを使用するときは、これを置く場所が壁際でスチールの台等の上ならば単独で使用できる。
又、事務用スチールの収納ケースの中などでも本体のみで使用できる。
マグネット（９）がつかない場所での使用ならば、単独の本立てとして、図４に示すようにＬ字型の台板（１１）と組み合わせることもできる。
その場合、台板（１１）自体をスチールにしたり、また、木製であってもスチール部をほどこして本考案の台座（８）を置けるようにすることもできる。
バネ（３ａ）の力を利用して読物が倒れない状態になり、読物の出し入れは、つまみ（４）を少し引っ張ればよい。
マグネットを使用しているので、本の多少に合わせ設置位置を移動できる。
第２実施の形態として、図５のように円筒の部分を蛇腹（１２）に変えることもできる。
さらに、第３実施の形態として、図６のようにささえ板（７ａ）の部分に空洞部（７ｂ）を設け、そこにバネ（３ｂ）を設置し、つまみ（４）を少し引くことにより、バネの力で、ハネ板（１３）が押し上げられ、そのハネ板（１３）が読物を支えると同時に、読物を入れる為のスペースをつくることができる。
【０００６】
【発明の効果】
薄く不安定な読物でも、きれいに立てた状態で、且つ、読物自体も傷めにくく収納できる。
主な部分は、木、プラスチック、ステンレス、スチール等、様々な材質で製作可能であり、オフィス、リビング等、色々な設置場所に合うものが提供できる。
たとえば、本体に木を使い、蛇腹（１２）の部分に和紙を用いれば、和室にも合うというふうに、インテリア性も優れている。
【図面の簡単な説明】
【図１】本発明の使用状態を示す斜視図である。
【図２】本発明の読物を支えていない状態の時の円筒部分の拡大した斜視図である。
【図３】本発明の読物を支えている状態の時の円筒部分の拡大した斜視図である。
【図４】本発明の他の使用状態を示す斜視図である。
【図５】本発明の他の実施例を示す斜視図である。
【図６】本発明の他の実施例を示す円筒部、ささえ板及び、空洞部の断面図である。
【符号の説明】
１    円筒
２    円筒
３ａ  バネ
３ｂ  バネ
４    つまみ
５    軸
６    支柱板
７ａ  ささえ板
７ｂ  空洞部
８    台座
９    マグネット
１０    穴
１１    台板
１２    蛇腹
１３    ハネ板
１４    読物
【図１】
2004305661.tif 000003
【図２】
2004305661.tif 000004
【図３】
2004305661.tif 000005
【図４】
2004305661.tif 000006
【図５】
2004305661.tif 000007
【図６】
2004305661.tif 000008
(57)【要約】【課題】風呂で使用する硬いプラスチック製椅子に腰掛けた時、硬くて滑り易くて病人、老人等には転倒の危険があり、更に女性は特に生理的現象等からも温泉、各種浴場で使用する椅子に直接腰掛ける事には衛生面からも問題がある。【解決手段】硬くて滑り易いプラスチック製椅子の危険性のある欠点と、衛生面での特に女性の生理的問題点に於いて衛生面の安心感を得られるように風呂、温泉、浴場等にて椅子に腰掛ける時に、お尻と椅子の間にクッション性のあるスポンジ等の柔らかい素材に防水性を持たせ、椅子の上面の形状に合致したマットを敷いて腰掛ける事より解決する、そしてマットの下面に窪みを多数設けて椅子に吸着する役割を果たすことが出来る、更に各自個人の専用のマットを持参して使用すれば総て解決する。【選択図】      図２
2004305668.tif 000002
【特許請求の範囲】
【請求項１】
風呂の滑り易いプラスチック製の椅子（２・６）に腰掛けた時、お尻の滑りを止めて人体の転倒を防止し安全な入浴が出来る様にする、同時に冬の冷たい椅子から腰を通じて人体への冷え込みを防止する為に、椅子（２、６）と腰掛けたお尻との間に椅子（２、６）の上面の形状に合致した柔らかいスポンジ状の防水加工した丸型、角型マット（４、８）を置いて滑り止めと安全に役立つ、又個人専用で持参して入浴時に使用すれば椅子に対する不潔感が払拭され衛生的である事を特徴とする風呂いすマット。
【請求項２】
請求項１の風呂いすマットの下面（１４、１５）に吸着を目的とした窪み（１０）を多数設けて、滑り易い椅子の上面に置いて腰掛けた時の体重による上からの圧力によって吸着力を高めて椅子に密着する様にした窪み（１０）のある丸型、角型マット（９・１２）の強力な滑り止めに役立つ事を特徴とする風呂いすマット。
【発明の詳細な説明】
【０００１】
【発明の属する技術分野】
本発明は、風呂で入浴する時の老人・痩せた人、子供等の安全と、冬の寒冷時期の健康と、個人専用として衛生面に役立つ事に関する
【０００２】
【従来の技術】
従来風呂の椅子は滑り易いプラスチック製が大半であるが、滑り止めに役立つ様なものは考えられていない。
【０００３】
【発明が解決しようとする課題】
風呂の椅子はプラスチック製が多く硬くて滑り易い、腰掛けていて痛みを感ずる事がある、多人数で同一の椅子を使用する浴場・温泉等では男性より特に女性では衛生上の問題もあり不潔感を感ずる問題を改善する必要がある。
【０００４】
【課題を解決するための手段】
風呂の硬いプラスチックの椅子、更に冬には冷たくなった椅子の上面の上に厚みのあるクッションを敷いて腰掛ける事により痛みも無く冷えも解消できる、更にクッションの椅子と接する下面に多数の窪みを付けて滑り止めの効果を高めて防水加工も施す様にする。
【０００５】
【発明の実施の形態】
【実施例】
図面を参照して説明すれば、図１の滑り易いプラスチック製丸型椅子上面の丸型に合う様に図２、５、６の様にクッションとなる材料のスポンジ等にて丸型に仕上げてマットにする、また図７、８は丸型マットの下面（１４）に多数の窪み（１０）を設けて上から体重を掛ける事で吸着現象が起きて密着させ滑り止めの役に立つ様にしたものである、図３の滑り易いプラスチック製角型椅子上面の角型に合う様に図４、９、１０の様にクッションとなる資材のスポンジ等にて角型に仕上げる、そして図１１、１２は下面（１５）に多数の窪み（１０）を設けて椅子に腰掛ける時に上から体重が掛かる事によって吸着現象が起きてプラスチック製角型椅子とマットとを密着させ滑り止めの役にたつ風呂いすマットとなる。
【０００６】
【発明の効果】
上記の様に請求項１の風呂いすマットと、更に効果の上がる請求項２の風呂いすマットは次に記載する効果を発揮する。
【０００７】
風呂の硬いプラスチック製椅子の上にクッション性のあるスポンジ状の風呂いすマット（４、８、９、１２）を敷く事により、長時間体重が掛かるとお尻が痛くなる場合も解消出来る、更に老人、痩せた人などのお尻の骨が硬いプラスチック製の椅子に直接的に当たる事も無くなり安心して長時間でも腰掛てリラックスする事ができる。
【０００８】
特に病人、老人、子供等が滑り易いプラスチック製椅子から体重の移動を誤って滑って転倒する事を、クッション性のある風呂いすマット（４、８、９、１２）を敷く事により防止できて安全で安心できる。
【０００９】
温泉、大衆浴場の多人数の使用する浴場の椅子をそのまま使用する事には神経質な人、女性などには不快感を感ずるものがあり、自己専用として携帯用の風呂いすマット（４、８、９、１２）を用意して持参すれば解決でき快適な旅行などが出来る。
【００１０】
特に女性は、産後の場合など女性器の痛み、周期的な生理現象の場合などには衛生的にも不潔にならない様にする必要があり、本発明の風呂いすマット（４、８、９、１２）を使用すれば解決できる、更に自己専用の携帯用として持参すれば大変有用である。
【００１１】
【図面の簡単な説明】
【図１】風呂の丸型椅子の斜視図
【図２】丸型の風呂いすマット斜視図
【図３】風呂の角型椅子の斜視図
【図４】角型の風呂いすマット斜視図
【図５】丸型の風呂いすマット平面図
【図６】丸型の風呂いすマット断面図
【図７】丸型の風呂いすマット（窪み付）下面平面図
【図８】丸型の風呂いすマット（窪み付）断面図
【図９】角型の風呂いすマット平面図
【図１０】角型の風呂いすマット断面図
【図１１】角型の風呂いすマット（窪み付）下面平面図
【図１２】角型の風呂いすマット（窪み付）断面図
【符号の説明】
１、５  プラスチック製椅子の中央開口部
２    プラスチック製丸型椅子
３、７、１１、１３  風呂いすマットの中央開口部
４    丸型風呂いすマット
６    プラスチック製角型椅子
８    角型風呂いすマット
９    窪み付の丸型風呂いすマット
１０    窪み
１２    窪み付の角型風呂いすマット
１４    窪み付の丸型風呂いすマットの下面
１５    窪み付の角型風呂いすマットの下面
【図１】
2004305668.tif 000003
【図２】
2004305668.tif 000004
【図３】
2004305668.tif 000005
【図４】
2004305668.tif 000006
【図５】
2004305668.tif 000007
【図６】
2004305668.tif 000008
【図７】
2004305668.tif 000009
【図８】
2004305668.tif 000010
【図９】
2004305668.tif 000011
【図１０】
2004305668.tif 000012
【図１１】
2004305668.tif 000013
【図１２】
2004305668.tif 000014